(57)【要約】【課題】利用者がリラックスできる姿勢をとったときでも、浴室内で気軽にシャワーを脚部に当て続けることのできる足シャワー装置を提供する。【解決手段】軸３を中心にして跳ね上げ可能である洗面器置き台２と、洗面器置き台２の下方に位置している足マッサージ用シャワーノズル１０とを備え、洗面器置き台２を跳ね上げたときに、シャワーが噴出し、洗面器置き台２の上面が略水平となる位置に戻ったときにシャワーの噴出が停止する足シャワー装置。また、洗面器置き台と、洗面器置き台の下部に形成している利用者の脚部を挿入する凹部と、凹部の側壁に形成しているミストノズルとを備える足シャワー装置であって、洗面器置き台を跳ね上げたときにミストが噴出し、洗面器置き台の上面が略水平となる位置に戻ったときにミストの噴出が停止する足シャワー装置。【選択図】        図１
2004321246.tif 000002
【特許請求の範囲】
【請求項１】
給水管となる軸に固着していて、この軸を中心にして跳ね上げ可能である洗面器置き台と、浴室の壁に固定されて前記軸を支持する給水側支持部及び吐水側支持部と、洗面器置き台の下方に位置していて、前記吐水側支持部内に収容されている前記軸の端部に設けた開口部に接続管を介して連通可能な足マッサージ用シャワーノズルとを備える足シャワー装置であって、洗面器置き台を跳ね上げたときに、足マッサージ用シャワーノズルからシャワーが噴出し、洗面器置き台の上面が略水平となる位置に戻ったときに足マッサージ用シャワーノズルからのシャワーの噴出が停止することを特徴とする足シャワー装置。
【請求項２】
洗面器置き台を所定位置まで跳ね上げたときに、前記開口部が、前記接続管と連通し、洗面器置き台の上面が略水平となる位置に戻ったときに前記開口部と前記接続管との連通が遮断されることを特徴とする請求項１記載の足シャワー装置。
【請求項３】
前記開口部と前記接続管とが連通しており、洗面器置き台が所定位置まで跳ね上げられているか否かを電気的に検知することにより、前記軸への、シャワーの湯又は水の出し止めを行うことを特徴とする請求項１記載の足シャワー装置。
【請求項４】
浴室の壁に取付けられ、跳ね上げ可能である洗面器置き台と、この洗面器置き台の下部に形成している利用者の脚部を挿入する凹部と、この凹部の側壁に形成しているミストノズルとを備える足シャワー装置であって、洗面器置き台を跳ね上げたときに、ミストノズルからミストが噴出し、洗面器置き台の上面が略水平となる位置に戻ったときにミストノズルからのミストの噴出が停止することを特徴とする足シャワー装置。
【請求項５】
洗面器置き台は、給水管となる軸に固着していて、この軸を中心にして回動自在としており、洗面器置き台を所定位置まで跳ね上げたときに前記軸に、ミスト用の湯又は水を供給し、洗面器置き台の上面が略水平となる位置に戻ったときに前記軸への、ミスト用の湯又は水の供給を停止することを特徴とする請求項４記載の足シャワー装置。
【発明の詳細な説明】
【０００１】
【発明の属する技術分野】
本発明は、浴室の壁に取付けた洗面器置き台の下方で、脚部を快適にするために脚部にシャワーを当てる足シャワー装置に関する。
【０００２】
【従来の技術】
従来、脚部を快適にするために、利用者がリラックスできる姿勢をとったときでも脚部にシャワーを当て続けることのできる装置としては、図１３に示すように、利用者の脚部等の局部に固定可能な固定部材５０を備え、該固定部材５０に噴射ノズルが設けられているとともに、噴射ノズルには可撓性ホース５１が接続されているシャワー装置が提案されている（例えば特許文献１参照。）。
【０００３】
【特許文献１】
特開２００１−１０４２０４号公報
【０００４】
【発明が解決しようとする課題】
しかしながら、特許文献１に示されるシャワー装置では、可撓性ホースに接続された固定部材を利用者の脚部等の局部に固定するため、シャワーを当てたい位置にシャワーを当てるためには、その都度固定部材を固定する位置を変える必要があり、面倒であるという問題があった。そのため、利用者の脚部に固定部材を固定する必要がなくて、浴室内で気軽にシャワーを脚部に当て続けることのできる足シャワー装置が求められている。
【０００５】
本発明は、上記事情に鑑みて成されたもので、その目的とするところは、利用者の脚部に固定部材を固定する必要がなくて、利用者がリラックスできる姿勢をとったときでも、浴室内で気軽にシャワーを脚部に当て続けることのできる足シャワー装置を提供することにある。
【０００６】
【課題を解決するための手段】
請求項１に係る発明の足シャワー装置は、給水管となる軸に固着していて、この軸を中心にして跳ね上げ可能である洗面器置き台と、浴室の壁に固定されて前記軸を支持する給水側支持部及び吐水側支持部と、洗面器置き台の下方に位置していて、前記吐水側支持部内に収容されている前記軸の端部に設けた開口部に接続管を介して連通可能な足マッサージ用シャワーノズルとを備える足シャワー装置であって、洗面器置き台を跳ね上げたときに、足マッサージ用シャワーノズルからシャワーが噴出し、洗面器置き台の上面が略水平となる位置に戻ったときに足マッサージ用シャワーノズルからのシャワーの噴出が停止することを特徴とする。
【０００７】
請求項２に係る発明の足シャワー装置は、請求項１記載の足シャワー装置において、洗面器置き台を所定位置まで跳ね上げたときに、前記開口部が、前記接続管と連通し、洗面器置き台の上面が略水平となる位置に戻ったときに前記開口部と前記接続管との連通が遮断されることを特徴とする。
【０００８】
請求項３に係る発明の足シャワー装置は、請求項１記載の足シャワー装置において、前記開口部と前記接続管とが連通しており、洗面器置き台が所定位置まで跳ね上げられているか否かを電気的に検知することにより、前記軸への、シャワーの湯又は水の出し止めを行うことを特徴とする。
【０００９】
請求項４に係る発明の足シャワー装置は、浴室の壁に取付けられ、跳ね上げ可能である洗面器置き台と、この洗面器置き台の下部に形成している利用者の脚部を挿入する凹部と、この凹部の側壁に形成しているミストノズルとを備える足シャワー装置であって、洗面器置き台を跳ね上げたときに、ミストノズルからミストが噴出し、洗面器置き台の上面が略水平となる位置に戻ったときにミストノズルからのミストの噴出が停止することを特徴とする。
【００１０】
請求項５に係る発明の足シャワー装置は、請求項４記載の足シャワー装置において、洗面器置き台は、給水管となる軸に固着していて、この軸を中心にして回動自在としており、洗面器置き台を所定位置まで跳ね上げたときに前記軸に、ミスト用の湯又は水を供給し、洗面器置き台の上面が略水平となる位置に戻ったときに前記軸への、ミスト用の湯又は水の供給を停止することを特徴とする請求項１記載の足シャワー装置。
【００１１】
【発明の実施の形態】
以下に、本発明の第１実施形態を、図１〜図４に基づいて説明する。第１実施形態の足シャワー装置１は、図１の斜視図、図２の平面図に示すように、給水管となる軸３に固着していて、この軸３を中心にして跳ね上げ可能である洗面器置き台２と、浴室の壁４に固定されて前記軸３を支持する給水側支持部５及び吐水側支持部６と、洗面器置き台２の下方に位置していて、前記吐水側支持部６内に収容されている前記軸３の端部に設けた開口部７に接続管８を介して連通可能な足マッサージ用シャワーノズル１０とを備えている。浴室の壁４には、洗面器置き台２の上面が略水平となる位置にあるときに、洗面器置き台２を下方から支持するストッパー（図示せず）が配設されていて、洗面器置き台２は、その上面が略水平となる位置よりも下方側には回動しないようにしている。
【００１２】
軸３の両端部は、それぞれ給水側支持部５と吐水側支持部６とに差し込み接続している。給水側支持部５、吐水側支持部６にそれぞれ差し込まれる、軸３の各端部には図３に示すようにＯリング１１が装着されているので、軸３は給水側支持部５と吐水側支持部６とで支持されて回動できると共に、所望位置で停止できるようになっている。この実施形態では、図２におけるＡ−Ａ線での断面図である図４に示すように、軸３の吐水側支持部６に収容されてる端部において、吐水側支持部６と摺接する円筒状の壁面の一部をくりぬいて開口部７を形成していて、洗面器置き台２を所定位置まで跳ね上げたときに、軸３が回転して、開口部７が、接続管８と連通し、洗面器置き台２の上面が略水平となる位置に戻ったときに開口部７と接続管８との連通が遮断されるようにしている。
【００１３】
また、給水側支持部５の軸３が差し込まれる側と反対側には、浴室の壁４から出てきている給水用配管１２が装着されていて、給水用配管１２からの水又は湯は給水管となる軸３内に導かれるようにしている。
【００１４】
以上述べた図１〜図４に示す足シャワー装置１の動作について説明する。この足シャワー装置１では、図５（ａ）に示すように、洗面器置き台２の上面が略水平となる位置にある状態では、図４に示すように、吐水側支持部６に収容されている軸３の端部に形成している開口部７と接続管８との連通は遮断されていて、足マッサージ用シャワーノズル１０からのシャワーの噴出は停止している。利用者が洗面器置き台２を跳ね上げて、図５（ｂ）に示す状態になったときには、図４に示す軸３が回転して、開口部７が、接続管８と連通し、給水用配管１２からの水又は湯が、軸３、接続管８を経由して足マッサージ用シャワーノズル１０から噴出するようにしている。そして、洗面器置き台２の上面が略水平となる位置になるように利用者が洗面器置き台２の位置を元に戻すと、開口部７と接続管８との連通が遮断され、足マッサージ用シャワーノズル１０からのシャワーの噴出は停止する。
【００１５】
このように、この第１実施形態の足シャワー装置によれば、利用者の脚部に固定部材を固定する必要がなくて、利用者がリラックスできる姿勢をとったときでも、浴室内で気軽にシャワーを脚部に当て続けることができる。
【００１６】
次に、本発明の第２実施形態を、図６、図７、図８に基づいて説明する。第２実施形態の足シャワー装置１は、図６の平面図に示すように、給水管となる軸３に固着していて、この軸３を中心にして跳ね上げ可能である洗面器置き台２と、浴室の壁４に固定されて前記軸３を支持する給水側支持部５及び吐水側支持部６と、洗面器置き台２の下方に位置していて、前記吐水側支持部６内に収容されている前記軸３の端部に設けた開口部７に接続管８を介して連通している足マッサージ用シャワーノズル１０とを備えている。浴室の壁４には、洗面器置き台２の上面が略水平となる位置にあるときに、洗面器置き台２を下方から支持するストッパー（図示せず）が配設されていて、洗面器置き台２は、その上面が略水平となる位置よりも下方側には回動しないようにしている。
【００１７】
軸３の両端部は、それぞれ給水側支持部５と吐水側支持部６とに差し込み接続している。給水側支持部５、吐水側支持部６にそれぞれ差し込まれる、軸３の各端部には、第１実施形態と同様に、図３に示すようなＯリング１１が装着されているので、軸３は給水側支持部５と吐水側支持部６とで支持されて回動できると共に、所望位置で停止できるようになっている。この第２実施形態では、図６におけるＢ−Ｂ線での断面図である図７に示すように、吐水側支持部６に収容されてる軸３の端部において、吐水側支持部６と摺接する円筒状の壁面の一部を、第１実施形態よりも円周方向に長くくりぬいて開口部７を形成していて、洗面器置き台２を所定位置まで跳ね上げたときも、洗面器置き台２の上面が略水平となる位置に戻ったときも共に、開口部７が、接続管８と連通するようにしている。すなわち、軸３が所定範囲内で回転している場合には、開口部７が、接続管８と連通するようにしている。
【００１８】
また、給水側支持部５の軸３が差し込まれる側と反対側には、浴室の壁４から出てきている給水用配管１２が装着されていて、給水用配管１２からの水又は湯は給水管となる軸３内に導かれるようにしている。
【００１９】
この実施形態では、浴室の壁２から出てきている給水用配管１２は、給水側支持部５に至る途中に電磁弁１４を備えている。また、図６、図８に示すように、給水側支持部５の上部にリードスイッチ１３を配設し、給水側支持部７と対向する洗面器置き台３の側面にマグネット１５を配設することにより、洗面器置き台３を跳ね上げて、洗面器置き台３の側面に配設したマグネット１５がリードスイッチ１３に接近した状態と、洗面器置き台３の上面が略水平となる位置に戻っていて、マグネット１５がリードスイッチ１３から離れている状態とを検知できるようにしている。そして、リードスイッチ１３からの信号に基づいて、電磁弁１４を開閉させる制御部１６を設けている。さらに、電磁弁１４と給水側支持部５との間にある給水用配管１２に温度検知手段１７が配置されていて、この温度検知手段１７は制御部１６に接続されている。そのため、温度検知手段１７からの信号に基づいて、制御部１６は電磁弁１４を開閉させることもできるようにしている。
【００２０】
以上述べた第２実施形態の足シャワー装置１の動作について説明する。この足シャワー装置１では、図５（ａ）に示すように、洗面器置き台２の上面が略水平となる位置にある状態では、マグネット１５がリードスイッチ１３から離れている状態であるとのリードスイッチ１３からの信号に基づく制御部１６の働きで、電磁弁１４が閉じられ、給水用配管１２からの水又は湯は、給水管となる軸３内に供給されず、足マッサージ用シャワーノズル１０からのシャワーの噴出は停止している。利用者が洗面器置き台２を跳ね上げて、図５（ｂ）に示す状態になったときには、マグネット１５がリードスイッチ１３に接近した状態であるとのリードスイッチ１３からの信号に基づく制御部１６の働きで、電磁弁１４が開けられ、給水用配管１２からの水又は湯は、軸３内に供給され、接続管８を経由して足マッサージ用シャワーノズル１０から噴出するようにしている。そして、利用者が、その上面が略水平となる位置に洗面器置き台２を回動させると、マグネット１５がリードスイッチ１３から離れている状態であるとのリードスイッチ１３からの信号に基づく制御部１６の働きで、電磁弁１４が閉じられて、足マッサージ用シャワーノズル１０からのシャワーの噴出は停止する。
【００２１】
また、この第２実施形態では、電磁弁１４と給水側支持部５との間にある給水用配管１２に温度検知手段１７が配置されているので、湯温が所定温度以上であると温度検知手段１７が検知した場合には、温度検知手段１７からの信号に基づいて、制御部１６は電磁弁１４を閉じるようにしているので、より安全なシャワー装置となっている。
【００２２】
このように、この第２実施形態の足シャワー装置によれば、利用者の脚部に固定部材を固定する必要がなくて、利用者がリラックスできる姿勢をとったときでも、浴室内で気軽にシャワーを脚部に当て続けることができる。
【００２３】
以下に、本発明の第３実施形態を、図９〜図１２に基づいて説明する。
【００２４】
図９の斜視図、図１０の平面図に示す第３実施形態の足シャワー装置１は、浴室の壁４（図１０参照）に取付けられ、跳ね上げ可能である洗面器置き台２と、この洗面器置き台２の下部に形成している利用者の脚部を挿入する２個所の凹部１８と、これらの凹部１８の側壁に形成しているミストノズル１９とを備えている。浴室の壁４に固定されている給水側支持部５と、吐水側支持部６とで支持される給水管となる軸３に洗面器置き台２を固着することで、洗面器置き台２は浴室の壁２に取付けられる。なお、この第３実施形態における吐水側支持部６は、給水側支持部５と反対側にある支持部を表していて、軸３の吐水部は軸中の所望の箇所に設定できる。軸３の両端部は、それぞれ給水側支持部５と吐水側支持部６とに差し込み接続している。給水側支持部５、吐水側支持部６にそれぞれ差し込まれる、軸３の各端部には、図１１に示すようにＯリング１１が装着されているので、軸３は給水側支持部５と吐水側支持部６とで支持されて回動できると共に、所望位置で停止できるようになっている。
【００２５】
また、給水側支持部５の軸３が差し込まれる側と反対側には、浴室の壁４から出てきている給水用配管１２が装着されていて、給水用配管１２からの水又は湯は給水管となる軸３内に導かれるようにしている。そして、給水管となる軸３と、凹部１８の側壁に形成しているミストノズル１９とは流路２０で連通している。
【００２６】
また、浴室の壁４から出てきている給水用配管１２は給水側支持部５に至る途中に電磁弁１４を備えている（図１０参照）。また、この足シャワー装置１には、洗面器置き台２が跳ね上げた状態にあるか、洗面器置き台２の上面が略水平となる位置に戻っているかを検知する検知手段（図示せず）と、この検知手段からの信号に基づいて電磁弁１４を開閉する制御部（図示せず）を備えている。洗面器置き台２が跳ね上げた状態にあるか、洗面器置き台２の上面が略水平となる位置に戻っているかを検知する検知手段としては、リードスイッチ方式や、リミットスイッチ方式等を採用できる。例えば、第２実施形態で説明したように、給水側支持部５の上部にリードスイッチを配設し、給水側支持部５と対向する洗面器置き台２の側面にマグネットを配設することにより、洗面器置き台２を跳ね上げて、洗面器置き台２の側面に配設したマグネットがリードスイッチに接近した状態と、洗面器置き台２の上面が略水平となる位置に戻っていて、マグネットがリードスイッチから離れている状態とを検知するリードスイッチ方式を採用することができる。
【００２７】
以上述べた図９、図１０に示す足シャワー装置１の動作について説明する。この足シャワー装置１では、図１２に示すように、洗面器置き台２を跳ね上げたときに、洗面器置き台２が跳ね上げた状態にあることを検知手段（図示せず）で検知し、この検知手段からの信号に基づいて制御部（図示せず）が働いて、図１０に示す電磁弁１４を開放する。電磁弁１４が開放状態になると、給水用配管１２からの水又は湯が、軸３及び流路２０を通ってミストノズル１９に供給され、ミストノズル１９からミストが噴出して、利用者の脚部にミストが当るようにしている。そして、洗面器置き台２の上面が略水平となる位置に戻った場合には、検知手段（図示せず）が、洗面器置き台２が跳ね上げた状態にはないことを検知し、この検知手段からの信号に基づいて制御部（図示せず）が働いて電磁弁１４を閉じる。電磁弁１４が閉じた状態になると、給水用配管１２からの水又は湯のミストノズル１９への供給が遮断され、ミストノズル１９からのミストの噴出が停止する。
【００２８】
このように、この実施形態の足シャワー装置によれば、利用者の脚部に固定部材を固定する必要がなくて、利用者がリラックスできる姿勢をとったときでも、浴室内で気軽にミストシャワーを脚部に当て続けることができる。
【００２９】
【発明の効果】
請求項１〜請求項３に係る発明の足シャワー装置によれば、利用者の脚部に固定部材を固定する必要がなくて、利用者がリラックスできる姿勢をとったときでも、浴室内で気軽にシャワーを脚部に当て続けることができる。
【００３０】
請求項４及び請求項５に係る発明の足シャワー装置によれば、利用者の脚部に固定部材を固定する必要がなくて、利用者がリラックスできる姿勢をとったときでも、浴室内で気軽にミストシャワーを脚部に当て続けることができる。
【図面の簡単な説明】
【図１】本発明の第１実施形態を示す斜視図である。
【図２】同上の平面図である。
【図３】本発明の第１実施形態の軸を説明するための部分断面図である。
【図４】図２におけるＡ−Ａ線での断面図である。
【図５】第１実施形態及び第２実施形態の動作を説明するための側面図である。
【図６】本発明の第２実施形態を示す平面図である。
【図７】図６におけるＢ−Ｂ線での断面図である。
【図８】第２実施形態におけるリードスイッチとマグネットとの位置関係を説明するための部分断面図である。
【図９】本発明の第３実施形態を示す斜視図である。
【図１０】同上の平面図である。
【図１１】本発明の第３実施形態の軸を説明するための部分断面図である。
【図１２】第３の使用状態を示す側面図である。
【図１３】従来技術を示す概略図である。
【符号の説明】
１  足シャワー装置
２  洗面器置き台２
３  軸料
４  壁
５  給水側支持部
６  吐水側支持部
７  開口部
８  接続管
１０  足マッサージ用シャワーノズル
１１  Ｏリング
１２  給水用配管
１３  リードスイッチ
１４  電磁弁
１５  マグネット
１６  制御部
１７  温度検知手段
１８  凹部
１９  ミストノズル
２０  流路
【図１】
2004321246.tif 000003
【図２】
2004321246.tif 000004
【図３】
2004321246.tif 000005
【図４】
2004321246.tif 000006
【図５】
2004321246.tif 000007
【図６】
2004321246.tif 000008
【図７】
2004321246.tif 000009
【図８】
2004321246.tif 000010
【図９】
2004321246.tif 000011
【図１０】
2004321246.tif 000012
【図１１】
2004321246.tif 000013
【図１２】
2004321246.tif 000014
【図１３】
2004321246.tif 000015